(57)【要約】      （修正有）【課題】洗浄槽がレールを介して洗浄機本体に出し入れ自在に支持される引き出し式食器洗い機について、蓋体に対する締め付け力が不足することを回避しつつ、過大な締め付け力がかかることがないようにする。【解決手段】下面にパッキンを備えた蓋体３が洗浄機本体１に昇降自在に支持され、洗浄槽２の押し込み動作で、傾斜カムとカムローラとのカム作用によって開蓋バネに抗して蓋体を下降させて閉蓋するよう構成とし、洗浄槽２が洗浄機本体１の中に完全に押し込まれると蓋体３がカムローラ３１で引き下げられて閉蓋され、カムローラ３１が傾斜カム５０の下面の凹部に係合して、閉蓋状態に保持する。【選択図】図２
2008200363.tif 000002
【特許請求の範囲】
【請求項１】
洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラによるカム作用によって開蓋バネに抗して蓋体を下降させて閉蓋するようになっている引き出し式食器洗い機において、
上記傾斜カムが上下方向に揺動する揺動アームであって、その前方端部が支軸で洗浄槽の側壁に枢支されており、
傾斜カムの後方部下面に下向きの傾斜カム面があり、
傾斜カムがカム用バネで下方に付勢されていて、カム用バネの所定の予荷重でストッパーに押しつけられて所定位置に保持されている引き出し式食器洗い機。
【請求項２】
洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラによるカム作用によって開蓋バネに抗して蓋体を下降させて閉蓋するようになっており、 蓋体の洗浄槽に対する左右方向の位置を調整するセンターリング機構を備えている引き出し式食器洗い機において、
上記傾斜カムが上下方向に揺動する揺動アームであって、その前方端部が支軸で洗浄槽の側壁に枢支されており、
傾斜カムの後方部下面に下向きの傾斜カム面があり、
傾斜カムがカム用バネで下方に付勢されていて、カム用バネの所定の予荷重でストッパーに押しつけられて所定位置に保持されている引き出し式食器洗い機。
【請求項３】
上記カム用バネが傾斜カムの上記支軸に装着されたねじりコイルバネであり、当該カム用バネで上記傾斜カムを下方に付勢して、上記ストッパーに押しつけている、請求項１又は請求項２の食器洗い機。
【請求項４】
上記揺動アームの中央部下面に凹部があり、カムローラがこの凹部に係脱自在に係合する、請求項１又は請求項２の食器洗い機。
【請求項５】
蓋体と洗浄槽に互いに嵌り合う凹部と凸部があって、これによって上記センターリング機構が構成されており、
上記センターリング機構が前方左右又は後方左右に設けられており、
上下に揺動する傾斜カムとカムローラによる傾斜カム機構が後方左右に設けられている請求項２の食器洗い機。
【請求項６】
蓋体と洗浄槽に互いに嵌り合う凹部と凸部があって、これによって上記センターリング機構が構成されており、
上記センターリング機構が前方左右及び後方左右に設けられており、
上下に揺動する傾斜カムとカムローラによる傾斜カム機構が前方左右及び後方左右にそれぞれ設けられている請求項２の食器洗い機。
【発明の詳細な説明】
【技術分野】
【０００１】
この発明は引き出し式食器洗い機、殊にその蓋の開閉操作機構に関するものであり、蓋体の下面にパッキンがあり、洗浄槽の出し入れ操作に連動して蓋体が昇降し、これによって洗浄槽が開閉される食器洗い機について、蓋体の洗浄槽に対する組み付け誤差やパッキンの劣化等に起因して蓋体に対する締め付け力が過大になることを防止しかつ過小になることをも防止し、締め付け力不足によってパッキンの密封不良が生じることを防止することができるものである。
【背景技術】
【０００２】
引き出し式食器洗い機においては、外箱すなわち洗浄機本体の底面に設けた左右のレールで洗浄槽が出し入れ自在に支持されており、洗浄槽の出し入れ動作に連動して昇降するように蓋体が外箱に支持されており、蓋体のパッキンが洗浄槽の上縁面に当接して蓋体と洗浄槽間を密封するものがある。
そして、上記蓋体の支持機構としては、前後左右の４つの平行リンクを用い、蓋体を引っ張りコイルバネ（開蓋バネ）で前方に付勢しており、洗浄槽の押し込み動作によりその後端で蓋体後端のフランジを押して、上記引っ張りコイルバネに抗して蓋体を後方に押し、上記平行リンクで下方に移動させて閉蓋させるものがある（特許第３７８９７７５号公報の第１５図参照）。
【０００３】
また、線材バネ（開蓋バネ）の中央を洗浄機本体に取付け、前後両端で蓋体を支持させ、洗浄槽の外側面の傾斜カムと蓋体の外側部にカムローラを設けてあり、洗浄槽の押し込み動作で、上記傾斜カムと上記カムローラとが作用し、このカム作用で、上記線材バネに抗して蓋体を引き下げるようにしたものがある（特許第３７８９７７５号公報）。
上記後者の構成の要点は図８、図９、図１０に示すとおりであり、その洗浄機本体２０１の底に左右のレールＲがあり、このレールＲによって、洗浄槽２０２が出し入れ自在に支持されている。
【０００４】
洗浄機本体２０１の側壁面に線材バネ２０４の中央部が係止されており、この線材バネ２０４の前後両端２０４ａ，２０４ａで蓋体２０３を支えている。
洗浄機本体２０１にガイドローラ２０１ａがあり、蓋体２０３の左右両側に設けた支持板２０５に縦方向スロット２０５ａがあり、当該縦方向スロット２０５ａに上記ガイドローラ２０１ａが嵌っていて、これにより蓋体２０３の昇降動作を案内している。
洗浄槽２０２の前後左右に傾斜カム２１１があり、これに対向するカムローラ２３１が蓋体２０３の左右の支持板２０５の前後に設けられている。
洗浄槽２０２が押し込まれると、その押し込み動作の最終段階で、上記傾斜カム２１１の傾斜カム面２１１ａに上記カムローラ２３１が当接して押し下げられる。これによって蓋体２０３が引き下げられ、そのパッキンｐが洗浄槽２０２の上縁面に当接して洗浄槽が閉蓋される。
【０００５】
上記背景技術においては、蓋体下面にパッキンｐが固定されており、閉蓋時に上記パッキンｐが洗浄槽の上縁面に当接して蓋体と洗浄槽の上縁面間を密封する。しかし、洗浄槽２０２の上面に対するパッキンｐの左右方向の位置がずれていると、その密封性が低下し、水漏れを生じることになる。
洗浄槽２０２はレールＲで洗浄機本体２０１の底面に支持されており、蓋体２０３は洗浄機本体に平行リンクや線材バネ等で昇降自在に支持されているので、洗浄槽の洗浄機本体２０１に対する左右方向の組み付け誤差及び蓋体の洗浄機本体に対する組み付け誤差によって蓋体と洗浄槽間に左右方向の位置ずれを生じ、また、輸送時や設置時の取扱不備等による洗浄機本体の変形、洗浄槽の変形によっても左右方向の位置ずれを生じる。
【０００６】
〔従来技術１〕
ところで、蓋体の洗浄槽に対する左右方向の位置ずれを防止することを目的とした発明は公知であり、その一例が特許第３２７５８８５号公報に記載されている。この公知例は、洗浄槽の洗浄機本体に対する左右方向のセンターリング機構（位置調整機構）を備えていて、洗浄槽の押し込み動作で上記センターリング機構が働いて、洗浄槽の洗浄機本体に対する左右方向の位置合わせを行うものである。しかしこのものは、洗浄槽の洗浄機本体に対する左右方向の位置ずれを調整することで、蓋体の洗浄槽に対する左右方向の位置ずれを調整するものであるが、蓋体の洗浄機本体に対する位置ずれを直接的に調整する機能はないから、実際問題として、洗浄槽の洗浄機本体に対する左右方向の位置ずれ分が解消されず、したがって、蓋体の洗浄槽に対する位置合わせ精度が低くなるのは避けられない。
【０００７】
〔従来技術２〕
また、蓋体と洗浄槽間の左右方向の位置ずれを防止することを目的とし、蓋体の洗浄槽に対する左右方向のセンターリング機構（位置調整機構）を備えていて、洗浄槽の押し込み動作で上記センターリング機構が働いて、蓋体の洗浄槽に対する左右方向の位置合わせを行うものも公知である（特許第３４１７３５２号公報、３４１７３５３号公報）。このものは、蓋体の洗浄槽に対する左右方向位置を直接的に調整するものであるから、蓋体の洗浄槽に対する位置合わせ精度は高い。この従来技術の一例が図１１、図１２に示されている。
【０００８】
この従来技術２は、下面にパッキンを備えた蓋体１０３が平行リンク１０４で洗浄機本体１０１に支持されている形式のものである。そして、これは、洗浄槽１０２が押し込まれるとき、その後端の押圧部１０２ａで蓋体１０３から下方に突設されたフランジ１０３ａを押して蓋体１０３を戻しバネ１０３ｓに抗して後退させ、蓋体１０３を後退させながら平行リンク１０４で引き下げる食器洗い機について、センターリング機構を設けたものである。この従来技術のセンターリング機構は、洗浄槽１０２の前方の左右両端に第１のガイド１０２ｂを設け、蓋体１０３の前方の左右両端に第２のガイド１０３ｂを設けたものであり、洗浄槽１０２が押し込まれると、第１のガイド１０２ｂが蓋体１０３の第２のガイド１０３ｂに内側から接触して、左右方向にずれている分だけ、蓋体１０３を左右方向（ずれを調整する方向）に押し戻して、洗浄槽に対する左右方向の位置を調整する（センターリング）。そして、洗浄槽の押し込み動作の終了近くで、押圧部１０２ａが上記フランジ１０３ａに当接してこれを押して、蓋体１０３を引き下げて閉蓋させる。
【０００９】
以上が従来技術２の概要である。この従来技術２においては、センターリングして後の閉蓋動作中においても第１のガイド１０２ｂと、第２のガイド１０３ｂとが当接して擦れ合うことになり、洗浄槽の押し込み動作の閉蓋前から閉蓋完了まで上記第１のガイド１０２ｂと第２のガイド１０３ｂとの摩擦力が作用することになる。そして、蓋体の洗浄槽に対する左右方向のずれが大きいときは上記摩擦力が洗浄槽の押し込み動作に対する大きな抵抗となり、押し込み動作の円滑性が損なわれることになる。
【００１０】
ところで、洗浄槽の押し込み動作で平行リンクや傾斜カムを利用して引き下げて閉蓋させるものでは、洗浄槽の押し込み動作が終わるまで閉蓋動作が継続し、洗浄槽の蓋体に対する締め付け力が増大する。そして、蓋体の洗浄槽への組み付け精度の如何によって、パッキンの最終圧縮量が大幅に異なるので、最終的な締め付け力が大幅に変動し、組み付け誤差のために締め付け力が不足するとシール不良となって洗浄槽からの水漏れを生じる。他方、締め付け力が過大であると強い引きずりのためにパッキンが強くこじれ、早期に損傷され、その結果、洗浄槽からの水漏れを生じることになる。そしてまた、これによって、洗浄槽の押し込み動作に対する抵抗が著しく大きくなるという問題がある。
【００１１】
また、上記従来技術１、従来技術２においては、洗浄槽は完全に押し込まれた状態で蓋体によって完全に密封されるから、洗浄槽が少し前方に戻ると洗浄槽に対する上記密封が不十分になる。これを防ぐために、洗浄槽が完全に押し込まれた状態でロックするのが一般的である（特開２００１−６１７４９号公報）。もしこのロックがなされないと閉蓋が不完全になってしまい、密封不良を生じることは上記のとおりである。また、このロック機構には手動式のもの、自動式のものがあるが、このいずれの場合も、そのための特別のロック機構が必要であり、さらに、そのロック操作が確実になされたことを確認するための特別なロック状態の確認機構が必要である。
【特許文献１】特許第３７８９７７５号公報
【特許文献２】特許第３２７５８８５号公報
【特許文献３】特許第３４１７３５２号公報
【特許文献４】特許第３４１７３５３号公報
【特許文献５】特開２００１−６１７４９号公報
【発明の開示】
【発明が解決しようとする課題】
【００１２】
この発明は、傾斜カムとカムローラによるカム機構を利用して蓋体を引き下げて閉蓋させる従来技術を前提とし、蓋体の洗浄機本体への組み付け誤差、傾斜カムとカムローラによる傾斜カム機構の洗浄槽や蓋体への組み付などの種々の組み付け誤差（以下これを、「傾斜カム機構の組み付け誤差」という）やパッキン劣化等に関わらず、蓋体に対する締め付け力が過大、過小になることを確実に防止することを目的とし、その課題は次の「課題１」、「課題２」のとおりである。
【００１３】
〔課題１〕
課題１は、蓋体に対する締め付け力が不足することを回避しつつ、過大な締め付け力がかかることがないように、傾斜カムとカムローラによるカム機構を工夫すること。
【００１４】
〔課題２〕
さらに、課題２は、上記課題１に加えて、洗浄槽を完全押し込み位置にロックする係止手段を蓋体開閉操作機構に持たせられるように、そのカム機構を工夫すること。
【課題を解決するための手段】
【００１５】
上記課題１に対する解決手段は次の解決手段１であり、上記課題２に対する解決手段は次の解決手段２である。
【００１６】
〔解決手段１〕
解決手段１は、洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラとのカム作用によって開蓋バネに抗して蓋体を下降させて閉蓋するようになっている引き出し式食器洗い機を前提として、次の（イ）（ロ）（ハ）によるものである。
（イ）上記傾斜カムが上下方向に揺動する揺動アームであって、その前方端部が支軸で洗浄槽の側壁に枢支されており、
（ロ）傾斜カムの後方部下面に下向きの傾斜カム面があり、
（ハ）傾斜カムがカム用バネで下方に付勢されていて、カム用バネの所定の予荷重でストッパーに押しつけられて所定位置に保持されていること。
【００１７】
上記の「予荷重」は、カム用バネが予め弾性変形されていて、これによって予めかけられているバネ力である。
なお、洗浄槽の後方左右の傾斜カムを揺動アームによるものにしてもよく、前方及び後方の左右の傾斜カムを揺動アームによるものにしてもよい。後者のようにすれば、蓋体全体に均等に締め付け力が作用するので、蓋体全体について過大な締め付け力が作用することを防止できる。
【００１８】
洗浄槽が押し込まれてカムローラが傾斜カムに当接すると、傾斜カムは上記予荷重によって所定位置に保持されているので、カムローラがそのカム面で押し下げられ、蓋体が開蓋バネに抗して引き下げられる。蓋体のパッキンが洗浄槽の上面に当接して圧縮されると、当該圧縮量が増大するに伴って蓋体の引き下げに対する抵抗が増大し、カム用バネの予荷重を超える（図５の「ａ」の位置）。そうすると、その後はカム用バネが弾性変形して傾斜カムは前方端部の支軸を中心にして上方に揺動するので、カムローラがそれ以上押し下げられることはほとんどない。したがって、蓋体に対する締め付け力が増大することはほとんどなく（図５参照。この例では、バネ力の上記増大を最終的に１．６ｋｇｆと見込んでいる）。それゆえ、蓋体に対する締め付け力は、確実に予定の範囲内に抑制され、過大になることはない。
【００１９】
傾斜カムが先方部を支軸に枢支された揺動アームであり、後方部の下面に傾斜カム面を設けているので、簡単な支持機構で傾斜カム面の上下方向の揺動ストロークを大きくすることでき、また、傾斜カム面の上下方向の揺動ストロークが大きくても、蓋体に対する締め付け力はカム用バネの予荷重によって規制されるのでこれが過大に成ることがないので、傾斜カム面の揺動ストロークを十分に大きくすることができる。これによって、組み付け誤差やパッキンの劣化等に関わらず、カムローラの必要なカムストロークを確保することができる。また、組み付け誤差、パッキンの劣化等のために、蓋体に対する締め付け力が過小になることはない。
【００２０】
以上のように、蓋体に対する締め付け力は上記カム用バネの予荷重ｗにほぼ等しい強さに制限され、他方、傾斜カム面の上下方向の揺動ストロークを十分に大きくとれるので、カムローラの押し下げ量不足を生じることはなく、したがって、このカムローラに対する押し下げ量不足によって蓋体に対する締め付け力不足を生じることは確実に防止される。
【００２１】
〔実施態様１〕
実施態様１は、解決手段１におけ食器洗い機が、蓋体の洗浄槽に対する左右方向のセンターリング機構を備えていることである。
上記事項は、解決手段１における前提事項に関することである。そして、蓋体の洗浄槽に対する左右方向のセンターリング機構が働くと、パッキンが洗浄槽に押しつけられた状態で蓋体が洗浄槽に対して左右方向に強く押されるので、過大な締め付け力を受けるとパッキンの耐久性が損なわれる可能性が大きい。しかし、上記解決手段１によれば、蓋体の締め付け力がカム用バネの予荷重の範囲（予定の範囲）にほぼ抑制されるので、過大な締め付け力からパッキンを保護する効果が一層顕著である。
なお、上記センターリング機構は、蓋体と洗浄槽に互いに嵌り合うように設けられた凸部と凹部とによるものであり、この凸部と凹部（又は、凹部と凸部でもよい）とによるカム作用で蓋体の左右方向位置を調整するものである。
【００２２】
この発明によるカム機構を、センターリング機構と組み合わせて設けるのが最も効果的であるが、必ずしもそうでなければならないわけではない。センターリング機構が後方の左右に設けられている場合は、後方左右の傾斜カムを揺動アームにするのもよいが、前方の左右の傾斜カムも揺動アームにすることもできる。また、センターリング機構が前方及び後方の左右に設けられている場合についても同様である。
【００２３】
〔実施態様２〕
解決手段１の実施態様２は、上記カム用バネがねじりコイルバネであり、当該カム用バネで傾斜カムを下方に付勢して上記ストッパーに押しつけていることである。
ねじりコイルバネは傾斜カムに対して狭いスペースにコンパクトに組み付けられ、上下方向に揺動する傾斜カムの付勢手段として最適である。
【００２４】
〔解決手段２〕
上記課題２を解決するための手段２は、上記解決手段１においてその揺動カムの中央部下面に凹部があり、カムローラがこの凹部に係脱自在に係合するようになっていること。
【００２５】
洗浄槽が押し込まれ、カムローラが傾斜カムの傾斜カム面に当接すると、その後、カムローラが傾斜カム面で押し下げられ、蓋体に対する締め付け力がカム用バネの予荷重（図５における予荷重ｗ）を超えると、傾斜カムがカム用バネに抗してカムローラで押し上げられる。そして、洗浄槽が洗浄機本体に完全に押し込まれたとき傾斜カム面がカムローラを通過し、傾斜カムの中央部下面の上記凹部にカムローラが嵌り込んでこれに係合する。
【００２６】
他方、カムローラは蓋体に固定された支持体に設けられており、傾斜カムは支軸を介して洗浄槽の側壁に連結されており、蓋体はガイドローラによって洗浄機本体に対して前後方向に連結されている。したがって、洗浄機本体に完全に押し込まれたとき、洗浄槽はカムローラ、傾斜カム、蓋体及びガイドローラーを介してその状態に保持される。
それゆえ、ロックレバーによる洗浄槽に対する特別の係止手段は省くことができ、洗浄槽に対するロック手段を簡略にすることができる。
【発明の効果】
【００２７】
洗浄槽がレールを介して洗浄機本体に出し入れ自在に支持され、下面にパッキンを備えた蓋体が洗浄機本体に昇降自在に支持されており、洗浄槽の押し込み動作で、傾斜カムとカムローラによるカム機構のカム作用によって開蓋バネに抗して蓋体を下降させて閉蓋させるようになっている引き出し式食器洗い機について、
傾斜カムが前方端部を支持軸に枢支された揺動アームであり、その後方部の下面に傾斜カム面を設け、カム用バネで傾斜カムを下方に付勢してあり、このカム用バネの予荷重で傾斜カムを所定位置に保持させていることによって、蓋体に対する締め付け力がカム用バネの予荷重にほぼ等しい範囲に抑制される。そしてまた、蓋体に対する締め付け力がカム用バネの予荷重にほぼ等しい範囲に抑制されるので、締め付け力が過大になる恐れなしにその傾斜カム面の上下方向の揺動ストロークを大きくすることができ、そして、傾斜カム面の上下方向の揺動ストロークを大きくできることで、傾斜カム面のリフト量を余分に大きくすることができ、これにより、組み付け誤差やパッキンの劣化等にかかわらず蓋体に対する所要の締め付け力が確保されるようにすることができる。
【００２８】
また、上記の揺動アームによる傾斜カムの中央部下面に凹部を設けたことにより、洗浄槽が完全に食器洗浄機に押し込まれたときに、カムローラと傾斜カムとが係脱自在に係合して洗浄槽が係止される。したがって、ロックレバー等による特別のロック手段を省くことができる。
【００２９】
洗浄槽を前方に引っ張れば、傾斜カムが上記カム用バネに抗して押し上げられてカムローラから外れ、洗浄槽は容易に引き出される。洗浄槽に対する特別のロック手段を設けないときは、ロック解除操作を行う必要がなく、したがって、洗浄槽の出し入れ操作が簡単である。
【発明を実施するための最良の形態】
【００３０】
次いで、図面を参照して実施例を説明する。この実施例は、傾斜カムによって蓋体の開閉操作がなされる引き出し式食器洗い機であって、蓋体の洗浄槽に対するセンターリング機構（左右方向位置の調整機構）を備えている引き出し式食器洗い機に、上記の解決手段１及び解決手段２を適用した具体例である。
【実施例１】
【００３１】
実施例１は図１〜図３に示されているものであり、洗浄槽２は、洗浄機本体１にレールＲ（図８のレールＲ参照）で出し入れ自在に支持されており、また、洗浄機本体１に蓋体３が上下動自在に支持されている。
蓋体３は開蓋バネである線材バネ４で押し上げられており、通常は開位置に保持されている。そして、洗浄槽２が洗浄機本体１に押し込まれたときに上記蓋体３がカム機構（傾斜カム５０とカムローラ３１によるもの）のカム作用によって上記線材バネ４に抗して引き下げられる。
【００３２】
蓋体３が引き下げられたときに洗浄槽２は閉蓋されてパッキンｐで密封される。蓋体３の左右両側部に支持板１０がそれぞれ固定されており、当該支持板１０の前後左右両側部にカムローラ３１が取付けられている。また、線材バネ４の中央が食器洗浄機１の側壁に係止されており、線材バネ４の前後両側端でガイドローラ３２の軸を押し上げ、これによって蓋体３を押し上げている。
洗浄槽２の側壁上端に前後一対の傾斜カム５０があり、洗浄機本体１の左右両側壁上端に傾斜ガイド孔１２があり、蓋体３にカムローラ３１、ガイドローラ３２があり、カムローラ３１が傾斜カム５０に対向し、ガイドローラ３２が上記傾斜ガイド孔１２に挿入されている。
【００３３】
洗浄槽２が洗浄機本体１に押し込まれたとき、その押し込みストロークの最終段階で洗浄槽２の傾斜カム５０，５０がカムローラ３１，３１に当接し、これを傾斜カム面１１ａで押し、カムローラ３１を介して蓋体３を引き下げる。このとき、ガイドローラ３２が傾斜ガイド孔１２内を下方に移動しつつ、当該ガイド孔１２に沿って斜め後方に移動する。この斜め後方への移動によって、洗浄槽２の上縁面に対して後方へ相対移動しつつ、蓋体３は洗浄槽２の上縁面に対して降下することになる。したがって、洗浄槽２の上縁面が蓋体３のパッキンｐに当接してからの蓋体３に対する後方への移動で上記パッキンｐが圧縮されながら引きずられてこじられる。
以上は、従来技術の範囲内の構成である。
【００３４】
次いで、この実施例１におけるセンターリング機構の概略を説明する。
蓋体３の後方の左右に前後方向の長孔（カム凹部）２２があり、洗浄槽３の後方上面に円錐突起２３が設けられている。長孔２２の幅（左右方向幅）は１０ｍｍで、また、長孔２２の長さ（前後方向長さ）は円錐突起２３（カム凸部）の根元の直径の約２倍程度であり、蓋体３が下降すると、円錐突起２３は長孔２２に対して前後方向に余裕がある状態で嵌り込む。
この例では、円錐突起２３の最大径が１２ｍｍ、高さが７ｍｍであり、当該円錐突起２３の円錐角度が４０度（傾斜角度は２０度）であって、左右いずれの方向にも最大で４ｍｍの左右方向の位置調整を行うことができる。
この実施例では、長孔２２が蓋体に設けられているが、これを洗浄槽に設け、円錐突起２３を蓋体側に設けても同様の作用を奏する。
【００３５】
傾斜カム５０は洗浄槽の後方左右に設けられており、上下方向に揺動する揺動アームであり、その前方端部が支軸５０ｄで洗浄槽２の側壁に枢支されていて、これを中心に上下に揺動するようになっている。そして、この傾斜カム５０の後方部の下面に傾斜カム面１１ａがあり、中央下面に円弧状の凹部５０ｂがある。この実施例での傾斜カム面１１ａの傾斜角度は４５度であり、当該傾斜面の上下方向高さ（カムリフト）は１５ｍｍである。
この傾斜カム５０よりも下方の位置に突起６０があって、この突起６０によって傾斜カムは下から支えられて、その下方位置が規定され、ほぼ水平に保持されている。
なお、揺動アームは、後方左右のみならず、前方左右にも設けられていてもよい。
【００３６】
上記支軸５０ｄにねじりコイルバネｓ１のコイル部ｓｒが嵌められて装着されており、当該ねじりコイルバネｓ１の下アームｓｄが傾斜カム５０を下方に押さえており、他方、上アームｓｕが上方の突起６１に押さえられている。なお、上記ねじりコイルバネｓ１は、コイル部の両端に上アームｓｕ、下アームｓｄを有するものである。
上記ねじりコイルバネｓ１の予荷重は、約１ｋｇｆに設定されていて、傾斜カム５０が突起６０にしっかりと押さえつけられている。
そして、この例では、傾斜カム５０とカムローラ３１によるカム機構によって蓋体３が昇降されるが、蓋体３の開閉ストロークは９ｍｍであり、パッキンの標準圧縮量は、この開閉ストロークのうちの約３ｍｍである。
そして、傾斜カム面の上記カムリフトは上記のとおり１５ｍｍであるが、これは、傾斜カム、カムローラ等の組み付け誤差を見込んで、蓋体の開閉ストロークよりも少なくとも５ｍｍ以上長い。
【００３７】
洗浄槽２が洗浄機本体１の中に完全に押し込まれると蓋体３がカムローラ３１で引き下げられて閉蓋され、カムローラ３１が傾斜カム５０の下面の凹部５０ｂに係合して、閉蓋状態に保持される（図２参照）。
洗浄槽２が前方（図１において左方）に引っ張られると、傾斜カム５０が前方に引っ張られ、傾斜カム５０がねじりコイルバネ（カム用バネ）s１に抗して上方に押し上げられて、カムローラ３１がその凹部５０ｂから外れ（図３参照）、その後、洗浄槽２が洗浄機本体から引き出される。
【００３８】
なお、この実施例１では、洗浄槽２が２ｋｇｆ程度の力で引っ張られると、後方の左右のカムローラ３１が左右の傾斜カム５０の凹部５０ｂから外れる。この凹部５０ｂによるカムローラ３１に対する係止力は、カムローラ３１の直径の大きさ、ねじりコイルバネｓ１の予荷重の強さ等によって異なるが、円弧状の凹部５０ｂの深さを加減することで容易に加減される。
【００３９】
洗浄槽２が洗浄機本体１の中に押し込まれてその押し込み動作の終点に近づくと、傾斜カム５０がカムローラ３１に近づき、やがてカムローラ３１が傾斜カム５０の傾斜カム面１１ａに当接するようになり（図４）、その後、カムローラ３１は傾斜カム５０の傾斜カム面１１ａで押し下げられる。
そして、カムローラ３１が押し下げられると、蓋体３は線材バネ４に抗して引き下げられる。このとき、ねじりコイルバネｓ１は変形せずに傾斜カム５０を突起６０に押しつけられた所定位置に保持されている。
【００４０】
パッキンｐが洗浄槽２に当接して圧縮されるようになると、それにつれて蓋体３の引き下げに対する抵抗が増大する。蓋体３の引き下げ抵抗が上記ねじりコイルバネｓ１の予荷重ｗを超えると（図５の「ａ」点）、その後は、傾斜カム５０が支軸５０ｄを中心にしてねじりコイルバネｓ１に抗して上方に回転するので、カムローラ３１はそれ以上下降することはほとんどなくて、ほぼその位置に止まる。したがって、蓋体３に対する締め付け力は、ねじりコイルバネｓ１のねじれ増による所定の増分はある（図５における「ａ」点から右方に「ｅ」の範囲参照）が、この増分は小さく、この実施例では、最終的に１．６ｋｇｆ程度の増分が見込まれている（図５における最終バネ力）。それゆえ、蓋体が過大な締め付け力を受けてそのためにパッキンｐの耐久性が著しく損なわれることはない。
【００４１】
そして、最終的にカムローラ３１が傾斜カム５０の中央下面の凹部５０ｂに係合して（図１）、その位置に保持される。そして、傾斜カム５０は蓋体３に連結されており、蓋体３はガイドローラ３２によって洗浄機本体１に前後方向において係合されているので、洗浄槽２はカムローラ３１、傾斜カム５０、蓋体３を介して洗浄機本体１に対して、前後方向に固定されることになる。
【００４２】
なお、以上の実施例１は、蓋体３の後方の左右に前後方向の長孔２２があり、洗浄槽３の後方上面に円錐突起２３が設けられていてセンターリング機構が構成されているものについて、このセンターリング機構の配置に合わせて、後方の左右の傾斜カムを揺動アームによるものにした例である。しかし、センターリング機構を前方及び後方の左右に設け、前後左右の傾斜カムを揺動アームによるものにすることもでき、この方が、蓋体全体について均等にセンターリング効果を及ぼし、また、蓋体全体について過大な締め付け力がかかることを防止することができる。
【実施例２】
【００４３】
図６，７の実施例２は、傾斜カム１１にカム用バネがねじりバネではなく、引っ張りバネである点で実施例１と相違し、その他の構成は違いがない。
洗浄槽２の側面に支軸５０ｄで枢支されている傾斜カム５０に、カムローラ３１と干渉しないように洗浄槽の側壁の方に偏よった位置に下方に向けて舌片５０ｅが設けられており、この舌片５０ｅと下方の固定ピン５０ｆとの間に引っ張りバネｓ２が張設されていて、この引っ張りバネｓ２で傾斜カム５０を下方に引っ張って、下方の突起６０に押しつけさせている。この引っ張りバネの予荷重は、実施例１のねじりコイルバネｓ１の予荷重と同程度にしている。
【００４４】
実施例２の動作は実施例１と同じであり、傾斜カム５０がカムローラ３１に当接すると、傾斜カム面１１ａでカムローラ３１が押し下げられ、蓋体３が引き下げられて締め付けられる。そして、蓋体３のパッキンｐに対する圧縮力が所定の強さになると、引っ張りバネｓ２に抗して傾斜カム５０が支軸５０ｄを中心にして上方に回動するので、その後は蓋体３に対する締め付け力は余り増大せず、したがって、蓋体が過大な力で締め付けられてその結果パッキンｐの耐久性が著しく損なわれることはない。
【図面の簡単な説明】
【００４５】
【図１】は、実施例１又は実施例２の平面図である。
【図２】は、実施例１の閉蓋状態のＸ−Ｘ断面図である。
【図２−１】は、図１のＹ−Ｙ断面図である。
【図３】は、実施例１の蓋の開蓋動作の初期状態のＸ−Ｘ断面図である。
【図４】は、開蓋状態のＹ−Ｙ断面図である。
【図５】は、実施例１におけるカム用バネのバネ力を示す模式図である。
【図６】は、実施例２の閉蓋状態の要部のＸ−Ｘ断面図である。
【図７】は、実施例２の閉蓋状態のＹ−Ｙ断面図である。
【図８】は、背景技術の断面図である。
【図９】は、図８の蓋体が開から閉へ移動する状態での一部拡大図である。
【図１０】は、図９と同様の閉蓋状態での一部拡大図である。
【図１１】は、従来技術の断面図である。
【図１２】は、従来技術の平面図である。
【符号の説明】
【００４６】
１：洗浄機本体
２：洗浄槽
３：蓋体
４：線材バネ（閉蓋バネ）
１０：支持板
１１：傾斜カム
１１ａ：傾斜カム面
１２：傾斜ガイド孔
２２：長孔（カム凹部）
２３：円錐突起（カム凸部）
３１：カムローラ
３２：ガイドローラ
５０：傾斜カム
５０ｂ：凹部
５０ｄ：支軸
５０ｅ：舌片
６０，６１：突起
ｗ：カム用バネの予荷重
ｐ：パッキン
ｓ１：ねじりコイルバネ（カム用バネ）
ｓ２：引っ張りバネ（カム用バネ）
ｓｒ：コイルバネｓ１のコイル部
【図１】
2008200363.tif 000003
【図２】
2008200363.tif 000004
【図２−１】
2008200363.tif 000005
【図３】
2008200363.tif 000006
【図４】
2008200363.tif 000007
【図５】
2008200363.tif 000008
【図６】
2008200363.tif 000009
【図７】
2008200363.tif 000010
【図８】
2008200363.tif 000011
【図９】
2008200363.tif 000012
【図１０】
2008200363.tif 000013
【図１１】
2008200363.tif 000014
【図１２】
2008200363.tif 000015